(57)【要約】  【課題】利用期間が長い遊技用装置のニーズに応じた表示装置の利用を促進すると共に、筐体の開発，製造コストが高くなることを防止する遊技用装置を提供する。  【解決手段】固着保持部材２２ｂはカードユニット２０の前面と面一で収容口４１を隠蔽し、液晶表示器２１はカードユニット２０の前面から突出した形態で遊技者の側を向いて保持される。保持部材として機能する固着保持部材２２ｂのｈの部分は、嵌合部材３０の前面に備えられ、収容口の横幅とほぼ同じ大きさの幅を有して収容口の中央部を隠蔽し、マスク部材として機能する固着保持部材２２ｂのａ及びｂの部分が、固着保持部材２２ｂのｈの範囲の上方及び下方の隠蔽されない範囲を隠蔽している。【選択図】        図３
2005087494.tif 000002
【特許請求の範囲】
【請求項１】
遊技機に対応して設けられる遊技用装置であって、
該対応する遊技機で遊技を行う遊技者に対して各種の情報を表示するための表示装置と、
該表示装置を保持するための保持部材と、
該保持部材に保持された前記表示装置の表示画面が前記対応する遊技機で遊技を行う遊技者に向くように該保持部材を前記遊技用装置に嵌合するための嵌合部材と、
該嵌合部材の少なくとも一部を前記遊技用装置の内部に収容すると共に、前記保持部材よりも大きな開口である収容口を前記遊技用装置の前面に有する収容部と、を備え、
前記保持部材は、前記収容部の収容口の少なくとも一部を隠蔽し、
該保持部材で隠蔽されない残った収容口を隠蔽するマスク部材を備えることを特徴とする遊技用装置。
【請求項２】
請求項１に記載した遊技用装置であって、
前記保持部材を、前記嵌合部材の前面に設け、
前記マスク部材を、前記嵌合部材の前面における前記保持部材が設けられていない部分に設けたことを特徴とする遊技用装置。
【請求項３】
請求項１又は２に記載した遊技用装置であって、
大きさの異なる前記嵌合部材に対応する前記マスク部材を取り付けるための取付部を備えることを特徴とする遊技用装置。
【請求項４】
請求項１〜３のいずれか１つに記載した遊技用装置であって、
前記収容部に、前記嵌合部材をスライドさせて収容する際のガイドとなるガイド部を設け、
前記嵌合部材に、該ガイド部と係合する係合部を設けたことを特徴とする遊技用装置。
【請求項５】
遊技機の側方に対応して設けられ、該対応する遊技機での遊技に使用する遊技媒体を貸与するための処理を行う遊技用装置であって、
該対応する遊技機で遊技を行う遊技者に対して各種の情報を表示するための表示装置と、
該表示装置を前記遊技用装置の前面から突出した形態で保持するための保持部材と、
該保持部材に保持された前記表示装置の表示画面が前記対応する遊技機で遊技を行う遊技者に向くように該保持部材を前記遊技用装置に嵌合するための嵌合部材と、
該嵌合部材の少なくとも一部を前記遊技用装置の内部に収容すると共に、前記保持部材の大きさよりも大きな開口である収容口を前記遊技用装置の前面に有する収容部と、を備え、
前記保持部材は、前記嵌合部材の前面に備えられ、前記収容口の横幅とほぼ同じ大きさの幅を有し、前記収容部の収容口の中央部を隠蔽し、
該保持部材の上方及び下方の隠蔽されない範囲を隠蔽するマスク部材を備えることを特徴とする遊技用装置。
【発明の詳細な説明】
【技術分野】
【０００１】
本発明は、大きさの異なる表示装置を取付可能な遊技用装置に関する。
【背景技術】
【０００２】
従来より、パチンコ機盤面に配置される表示装置と該表示装置を装飾する表飾りとの間を目隠しするマスク部材の開口の大きさを変更することにより、大きさの異なる表示装置を共通の表飾りに取付可能とする図柄表示部装飾部材が提案されている（例えば特許文献１を参照）。
【０００３】
【特許文献１】特開２００３−２４５８７号公報（第２頁，図４）
【発明の開示】
【発明が解決しようとする課題】
【０００４】
表示装置の再利用は遊技機のみではなく、遊技用装置についても考えられるが、表示装置の大きさは大小様々のものがあり、表示装置の大きさが異なる毎に遊技用装置の筐体を変更すると開発や製造コストが高くなるという問題がある。本発明はこのような背景のもとになされたものであり、その目的は、利用期間が長い遊技用装置のニーズに応じた表示装置の利用を促進すると共に、筐体の開発，製造コストが高くなることを防止する遊技用装置を提供することにある。
【課題を解決するための手段】
【０００５】
本発明は、前記課題を解決するために、次のような手段を採る。なお後述する発明を実施するための最良の形態の説明及び図面で使用した符号を参考のために付記するが、本発明の構成要素は該符号を付したものには限定されない。
【０００６】
まず請求項１に係る発明は、遊技機（パチンコ機１０）に対応して設けられる遊技用装置（カードユニット２０）であって、該対応する遊技機で遊技を行う遊技者に対して各種の情報を表示するための表示装置（液晶表示器２１）と、該表示装置を保持するための保持部材（２２）と、該保持部材に保持された前記表示装置の表示画面が前記対応する遊技機で遊技を行う遊技者に向くように該保持部材を前記遊技用装置に嵌合するための嵌合部材（３０）と、該嵌合部材の少なくとも一部を前記遊技用装置の内部に収容すると共に、前記保持部材よりも大きな開口である収容口（４１）を前記遊技用装置の前面に有する収容部（４０）と、を備え、前記保持部材は、前記収容部の収容口の少なくとも一部を隠蔽し、該保持部材で隠蔽されない残った収容口を隠蔽するマスク部材（固着保持部材２２ｂ）を備えることを特徴とする遊技用装置である。
【０００７】
また請求項２に係る発明は、請求項１に記載した遊技用装置（カードユニット２０）であって、前記保持部材（２２）を、前記嵌合部材（３０）の前面に設け、前記マスク部材（固着保持部材２２ｂ）を、前記嵌合部材の前面における前記保持部材が設けられていない部分に設けたことを特徴とする遊技用装置である。
【０００８】
また請求項３に係る発明は、請求項１又は２に記載した遊技用装置（カードユニット２０）であって、大きさの異なる前記嵌合部材（３０）に対応する前記マスク部材（２５）を取り付けるための取付部（２６）を備えることを特徴とする遊技用装置である。
【０００９】
また請求項４に係る発明は、請求項１〜３のいずれか１つに記載した遊技用装置（カードユニット２０）であって、前記収容部（４０）に、前記嵌合部材（３０）をスライドさせて収容する際のガイドとなるガイド部（４４）を設け、前記嵌合部材に、該ガイド部と係合する係合部（３３）を設けたことを特徴とする遊技用装置である。
【００１０】
さらに請求項５に係る発明は、遊技機（パチンコ機１０）の側方に対応して設けられ、該対応する遊技機での遊技に使用する遊技媒体（パチンコ玉）を貸与するための処理を行う遊技用装置（カードユニット２０）であって、該対応する遊技機で遊技を行う遊技者に対して各種の情報を表示するための表示装置（液晶表示器２１）と、該表示装置を前記遊技用装置の前面から突出した形態で保持するための保持部材（２２）と、該保持部材に保持された前記表示装置の表示画面が前記対応する遊技機で遊技を行う遊技者に向くように該保持部材を前記遊技用装置に嵌合するための嵌合部材（３０）と、該嵌合部材の少なくとも一部を前記遊技用装置の内部に収容すると共に、前記保持部材の大きさよりも大きな開口である収容口（４１）を前記遊技用装置の前面に有する収容部（４０）と、を備え、前記保持部材は、前記嵌合部材の前面に備えられ、前記収容口の横幅とほぼ同じ大きさの幅を有し、前記収容部の収容口の中央部を隠蔽し、該保持部材の上方及び下方の隠蔽されない範囲を隠蔽するマスク部材（固着保持部材２２ｂ）を備えることを特徴とする遊技用装置である。
【発明の効果】
【００１１】
本発明に係る遊技用装置によれば、以下のような効果を奏する。
【００１２】
まず請求項１に係る遊技用装置によれば、保持部材の大きさよりも大きな開口である収容口を設けたので、大きさの異なる表示装置を遊技用装置に取付することが可能であり、利用期間が長い遊技用装置のニーズに応じた表示装置の再利用を促進すると共に、異なる大きさの表示装置に対して同じ遊技用装置の筐体を利用できるため、筐体の開発，製造コストが高くなることを防止することができる。また、収容口を隠蔽するマスク部材を備えるため、遊技用装置の内部に不正にアクセスされることを防止することができる。
【００１３】
また請求項２に係る遊技用装置によれば、大きさの異なる表示装置を利用するときに、マスク部材を嵌合部材の前面における保持部材が設けられていない部分に設けるので、大きさの異なる表示装置に変更する場合、保持部材及び嵌合部材も変更することが可能なため、時代に応じた装飾を施すことができることから遊技用装置の装飾性が低下することを防止すると共に、遊技用装置の内部に不正にアクセスされることを防止することができる。
【００１４】
また請求項３に係る遊技用装置によれば、マスク部材を取り外すことにより大きさの異なる嵌合部材を収容可能となるので、異なる大きさの表示装置が利用可能となる。
【００１５】
また請求項４に係る遊技用装置によれば、嵌合部材をスライド収容することができるので、嵌合部材の組み付け時の操作性が向上し、表示装置の取付が行いやすい。
【００１６】
さらに請求項５に係る遊技用装置によれば、保持部材の大きさよりも大きな開口である収容口を設けたので、大きさの異なる表示装置を遊技用装置に取付することが可能であり、利用期間が長い遊技用装置のニーズに応じた表示装置の再利用を促進すると共に、異なる大きさの表示装置に対して同じ筐体を利用できるため、筐体の開発，製造コストが高くなることを防止することができる。また、遊技用装置の内部に不正にアクセスされることを防止することができる。
【発明を実施するための最良の形態】
【００１７】
以下、発明を実施するための最良の形態を、図１〜６を参照して説明する。
【００１８】
図１に示すように、本発明の遊技用装置は、遊技機であるパチンコ機１０に対応して設けられるカードユニット２０である。ここで、パチンコ機１０は、遊技場内の遊技島（図示外）に配置され、遊技媒体であるパチンコ玉をハンドル１２を操作して遊技領域１１に打ち込むことにより遊技を行うものであり、ここではカードユニット２０と通信可能であり、該カードユニット２０とパチンコ機１０との間でパチンコ玉の貸与に関する信号のやり取りが行われることにより該パチンコ機１０の内部からパチンコ玉が上皿１３に払い出されて貸与される、いわゆるＣＲ式のパチンコ機１０である。
【００１９】
カードユニット２０は、パチンコ機１０の側方に対応して（ここではパチンコ機１０の左側に隣接して）設けられ、縦長の箱型の形状を呈するものであり、カード挿入口２４に、遊技に使用可能な遊技価値の大きさを特定可能な情報が記録されたプリペイドカードや会員登録を行った会員遊技者に対して発行される会員カードを挿入して、遊技者が所定の操作を行うことによって、該挿入されたプリペイドカードや会員カードの記録情報から特定される遊技価値の大きさの範囲内で上記パチンコ玉を貸与する処理を行うものである。このカードユニット２０は図２に示すように、以下に説明する液晶表示器２１，保持部材２２，嵌合部材３０，及び収容部４０等を備えている。以下、これら各部について図２を用いて説明する。
【００２０】
液晶表示器２１は、表示装置の一例であって対応するパチンコ機１０で遊技を行う遊技者に対して各種の情報を表示するものである。保持部材２２は液晶表示器２１を保持するための部材であり、液晶表示器２１の外周部を前後から挟み込んで保持する枠部材２２ａと、該枠部材２２ａを固着して保持する固着保持部材２２ｂとからなる。
【００２１】
操作ボタン２３は、枠部材２２ａに備えられ、液晶表示器２１に表示される各種の情報に基づいて遊技者が操作するものであり、例えば遊技情報の表示や貯玉再プレイ等を行う際に操作される。
【００２２】
図１に示したカード挿入口２４は、プリペイドカードや会員カードをカードユニット２０内部のカードリーダ・ライタに挿入するための挿入口であり、該カード挿入口２４から挿入されたプリペイドカードや会員カードはカードリーダ・ライタで受け付けられる。パチンコ機１０に設けられた図示しないカード返却ボタンが押されると受け付けられているプリペイドカード又は会員カードがカード挿入口２４から排出される。
【００２３】
嵌合部材３０は縦長の直方体形状であり、前面部が開口され、内部は空洞となっている。この嵌合部材３０は、保持部材２２に保持された液晶表示器２１の表示画面が対応するパチンコ機１０で遊技を行う遊技者に向くように保持部材２２をカードユニット２０に嵌合するためのものである。嵌合部材３０の後面には、後述する初期位置にある各フック部５１ａに対向する位置に、該フック部５１ａよりも大きな縦長の長方形状の嵌合口が２つ設けられている。この嵌合部材３０の後面中央には、いずれの操作ボタン２３が押されたかを示す操作信号を出力する出力端子や、液晶表示器２１に表示する映像用の映像信号が入力される入力端子を備える嵌合部材側コネクタ（図示外）を設置するための、縦長の長方形状のコネクタ設置口３２が設けられている。また、嵌合部材３０の両側面の下端には、後述するガイド部４４と係合するフランジ状の係合部３３が設けられている。
【００２４】
収容部４０は、カードユニット２０の内部に設けられ、嵌合部材３０の少なくとも一部をカードユニット２０の内部に収容すると共に、保持部材２２の大きさよりも大きな開口である収容口４１をカードユニット２０の前面に有する。この収容部４０内には、カードユニット２０のユニット側制御基板（図示外）と接続された前記操作信号や映像信号を伝送するためのケーブル４２，及び該ケーブル４２と接続されたユニット側コネクタ４３が配されると共に、嵌合部材３０をスライドさせて収容する際のガイドとなるガイド部４４が設けられている。
【００２５】
また、収容部４０の後方にはロック部材５０が設けられている。このロック部材５０は、支柱５４により支持されている。ロック部材５０には、前方に向けて突出するフック部材５１が２つ設けられ、後面から突出する解除部材５２が設けられている。各フック部材５１の先端には、前方から後方に向けて下向きに傾斜した所定長さの傾斜部と、該傾斜部の後端から垂直に立ち上がる鉤状部と、を有するフック部５１ａが設けられている。ロック部材５０は、バネ５３により下向き方向に付勢されている。
【００２６】
上記説明した各部の作用について図２及び図３を用いて説明する。まず液晶表示器２１は前述したように、その外周部を前後から挟むことによって枠部材２２ａによって保持される。この枠部材２２ａには操作ボタン２３を表出させるための操作ボタン表出孔が設けられており、これによって操作ボタン２３が表出し、遊技者が操作可能となっている。
【００２７】
この枠部材２２ａは起立した状態で固着保持部材２２ｂの前面に固着され、これにより該枠部材２２ａが保持する液晶表示器２１も起立した状態で保持される。さらに固着保持部材２２ｂは、嵌合部材３０の前面部に固着されている。このようにして液晶表示器２１，枠部材２２ａ，固着保持部材２２ｂ，及び嵌合部材３０が一体化されたモジュールとなる。
【００２８】
ここで、嵌合部材３０内には液晶表示器２１に表示する映像を制御する（即ち前記映像信号を処理する）表示制御基板（図示外）が固定されていて、該表示制御基板と液晶表示器２１との結線を通過させるための孔が、枠部材２２ａ及び固着保持部材２２ｂに設けられている。また、この表示制御基板は前記嵌合部材側コネクタの入力端子と嵌合部材３０の内部側で接続されている。
【００２９】
また、いずれの操作ボタン２３が押されたかを検知する検知基板（表示制御基板と共通の基板でも良い）も、嵌合部材３０内に固定されている。この検知基板と操作ボタン２３は信号線により接続されているが、この信号線も前記枠部材２２ａ及び固着保持部材２２ｂに設けられた孔を通過している。この検知基板は前記嵌合部材側コネクタの出力端子と嵌合部材３０の内部側で接続されている。
【００３０】
上記モジュールをカードユニット２０に取付する際には、まず、ケーブル４２に接続されたユニット側コネクタ４３を引き出して、嵌合部材側コネクタと接続する。これによってユニット側制御基板から表示制御基板に対しての映像信号の送信，及び検知基板からユニット側制御基板に対しての操作信号の送信が可能になる。なお、ここでユニット側制御基板から表示制御基板に対して送信される映像信号はアナログのＲＧＢ信号又はデジタル信号であって、いずれの信号を出力するかはユニット側制御基板に設けられるディップスイッチで切替可能である。また、前記ユニット側コネクタ４３もアナログＲＧＢ接続及びデジタル接続の両信号に対応可能な形状となっている。即ち液晶表示器２１がアナログ方式であってもデジタル方式であっても対応可能である。さらに、ユニット側制御基板では、解像度の異なる映像信号を作成可能であるため、液晶表示装置２１の解像度に応じた映像信号を送信することができ、多種多様な液晶表示器２１に対応可能である。
【００３１】
次に、カードユニット２０の前方から、嵌合部材３０に備えられた係合部３３の後端をガイド部４４と係合させ、係合した状態で摺動させながら嵌合部材３０を押し込む。嵌合部材３０が収容部４０にスライド嵌合されると、嵌合部材３０の後面に設けられた嵌合口３１の下辺部がフック部５１ａの傾斜部に当接し、さらに嵌合部材３０が押し込まれると、ロック部材５０がバネ５３による下向きの付勢力に抗して上昇し、さらに嵌合部材３０が押し込まれてフック部５１ａが嵌合部材３０の内部に完全に入り込むと、ロック部材５０が下向きの付勢力により下降してフック部５１ａが嵌合部材３０の内部に嵌まり合い、ロックされる。即ち嵌合部材３０を前方に引き抜こうとしても、フック部５１ａの鉤状部が嵌合部材３０の後壁面に引っ掛かって、引き抜くことはできない。このようにして嵌合部材３０をスライド収容することができるので、嵌合部材３０の組み付け時の操作性が向上し、液晶表示器２１の取付が行いやすい。
【００３２】
なお、ロック部材５０の後面から突出する解除部材５２を上昇させることにより、該ロック部材５０が下向きの付勢力に抗して上昇し、フック部５１ａの鉤状部と嵌合部材３０の後壁面との引っ掛かかりが解除され、嵌合部材３０を引き抜き可能となる。
【００３３】
上述したようにしてモジュールの取付がされた結果の例を図３に示す。固着保持部材２２ｂはカードユニット２０の前面と同一平面上（以下「面一（ツライチ）」という）で収容口４１を隠蔽し、液晶表示器２１はカードユニット２０の前面から突出した形態で遊技者の側を向いて保持される。ここで、固着保持部材２２ｂは、枠部材２２ａ（液晶表示器２１）を保持するものであるが、枠部材２２ａを嵌合部材３０に固着して保持するためには、枠部材２２ａが固着されている部分（図３に示すｈ）があれば良く、枠部材２２ａが固着されている部分から上方（図３に示すａ）及び下方（図３示すｂ）に関しては、収容口４１を隠蔽するためのマスク部材として機能する。即ち図３の例では、保持部材として機能する固着保持部材２２ｂのｈの部分が、嵌合部材３０の前面に備えられ、収容口４１の横幅とほぼ同じ大きさの幅を有して収容口４１の中央部を隠蔽し、マスク部材として機能する固着保持部材２２ｂのａ及びｂの部分が、固着保持部材２２ｂのｈの部分の上方及び下方の隠蔽されない範囲を隠蔽している。
【００３４】
このように、表示装置の保持部材より大きい収容口４１を隠蔽するマスク部材を備えるため、カードユニット２０の内部に不正にアクセスされることを防止することができるとともに、図４のように大きな表示装置の場合でも、遊技用装置の筐体を変更することなく同じ筐体で利用可能となる。
【００３５】
なお、図４に示す例では、上述した図３の例と比較して液晶表示器２１が高さ方向に大きいので、固着保持部材２２ｂの中で、保持部材として機能する範囲（枠部材２２ａが固着されている範囲であり図４に示すｈ’の範囲）が大きく、それに対してマスク部材として機能する範囲（枠部材２２ａが固着されている範囲の上方及び下方であり図４に示すａ’及びｂ’の範囲）が小さくなっている。
【００３６】
このように、保持部材２２の大きさよりも大きな開口である収容口４１を設けたので、例えば図３及び図４のように大きさの異なる液晶表示器２１をカードユニット２０に取付することが可能であり、利用期間が長いカードユニット２０のニーズに応じた表示装置の再利用を促進すると共に、異なる大きさの表示装置に対して同じ筐体を利用できるため、筐体の開発，製造コストが高くなることを防止することができる。
【００３７】
また、大きさの異なる液晶表示器２１を利用するときに、マスク部材（ここでは固着保持部材２２ｂの上部及び下部）を嵌合部材３０の前面における保持部材が設けられていない部分に設けるので、大きさの異なる表示装置に変更する場合、保持部材及び嵌合部材も変更されるため、時代に応じた装飾が可能となることからカードユニット２０の装飾性が低下することを防止する。
【００３８】
次に、図５に示すように、カードユニット２０が、マスク部材２５を取付するための取付部２６を備える例について説明する。この例は、固着保持部材２２ｂ及び嵌合部材３０の高さが収容口４１の高さよりも低い例である。このとき、固着保持部材２２ｂでは収容口４１の上部を隠蔽することができないため、この部分を隠蔽するためのマスク部材２５が必要となる。このマスク部材２５は収容口４１の横幅とほぼ同じ幅であって、カードユニット２０と係合するための係合部を備えている。この係合部を収容口４１の上部に設けられた凹部に係合させ、さらに取付部２６にネジ２７によって固定することで、固着保持部材２２ｂで隠蔽されない残った収容口４１を隠蔽するものである。
【００３９】
このように、マスク部材２５を取り外すことにより大きさの異なる嵌合部材３０を収容可能となるので、異なる大きさの表示装置が利用可能となる。
【００４０】
最後に、本発明に係る遊技用装置の変形例について説明する。
【００４１】
上記の実施形態では、カードユニット２０が、パチンコ機１０との間でパチンコ玉の貸与に関する信号のやり取りを行うことにより遊技媒体の貸与を行うＣＲユニットである例について説明したが、これに限らず、該カードユニットは、自ら玉払出装置を備えて遊技媒体の貸与を行うものでも良い。また上記の実施形態では、カードユニット２０が、遊技媒体としてパチンコ玉を貸与するためのプリペイド玉貸を行うものである例について説明したが、これに限らず、該カードユニットは、遊技媒体としてメダルを貸与するためのメダル貸与処理を行うものでも良く、また遊技機が前記封入式のパチンコ機や前記クレジット式のスロットマシンである場合には、それら遊技機での遊技に使用される遊技媒体である得点・持点を加算する処理を行うものでも良い。
【００４２】
上記の実施形態では、遊技機であるパチンコ機１０に対応して設けられる遊技用装置が、パチンコ機１０の左側に隣接して設けられるカードユニット２０である例について説明したが、これに限らず、パチンコ機１０の上部に設けられる呼出ランプ装置であっても良い。このとき表示装置（例えば液晶表示器２１）はカードユニット２０の液晶表示器２１のようにカードユニット２０の前面から突出した形態で保持する必要はなく、対応する遊技機で遊技を行う遊技者に向くようにカードユニット２０の前面に備え付けられると良い。
【００４３】
上記の実施形態では、各種の情報を表示するための表示装置が液晶表示器２１である例について説明したが、これに限らず、ＣＲＴ，プラズマディスプレイ，有機ＥＬディスプレイ，ドット表示器，セグメント表示器等であっても良い。即ち、遊技者に対して各種の情報を表示可能なものであれば良い。
【００４４】
上記の実施形態では、表示装置である液晶表示器２１と操作ボタン２３が別体である例について説明したが、これに限らず、表示装置と操作ボタン２３の機能を併せ持つタッチパネル式のディスプレイが取付けられても良い。
【００４５】
上記の実施形態では、嵌合部材３０の全体がカードユニット２０の内部に収容される例について説明したが、これに限らず、嵌合部材３０の少なくとも一部がカードユニット２０の内部に収容されていれば良い。
【００４６】
上記の実施形態では、固着保持部材２２ｂの前面とカードユニット２０の前面が面一となって収容口４１が隠蔽される例について説明したが、これに限らず、固着保持部材２２ｂの前面とカードユニット２０の前面が面一とならなくても良く、カードユニット２０の装飾性を損ねない態様で収容口４１を隠蔽するものであれば良い。
【００４７】
上記の実施形態では、嵌合部材３０内に表示制御基板（図示外）及び検知基板が固定されている例について説明したが、これらは枠部材２２ａの内部に固定されても良い。このとき、該表示制御基板と嵌合部材側コネクタの入力端子との結線，及び検知基板と嵌合部材側コネクタの出力端子との結線を通過させるための孔が、枠部材２２ａ及び固着保持部材２２ｂに設けられる。
【００４８】
上記の実施形態では、嵌合部材３０を押し込むとフック部５１ａが嵌合部材３０の内部に嵌まり合いロックされる例について説明したが、これに限らず、嵌合部材３０が引き抜き不能に固定されれば良い。
【００４９】
上記の実施形態では、収容部４０に嵌合部材３０をスライドさせて収容する際のガイドとなるガイド部４４が設けられ、嵌合部材３０にガイド部４４と係合する係合部３３が設けられ、嵌合部材３０がスライド収容可能となる例について説明したが、これに限らず、嵌合部材３０が収容部４０に収容可能な機構であれば良い。例えば、図６に示すように収容部４０には、嵌合部材３０の収容位置をガイドするための凹部４５が設けられ、嵌合部材３０には凹部４５と係合する凸部３４が設けられている。この嵌合部材３０を収容口４０に収容するときには、カードユニット２０の前方から嵌合部材３０の前面側を幾分傾けた状態（図６の破線により示される状態）で、凹部４５と凸部３４が係合可能なように位置合わせを行い、位置合わせ後に傾けた状態の嵌合部材３０を水平状態に戻すことによって凹部４５と凸部３４が係合し、前述したようにフック部５１ａが嵌合部材３０の内部に嵌まり合いロックされ、嵌合部材３０が所定の位置に収容される。
【図面の簡単な説明】
【００５０】
【図１】図１は本発明に係るカードユニットとパチンコ機の一例を表す正面図である。
【図２】図２はカードユニットの一例を表す分解斜視図である。
【図３】図３はカードユニットの一例を表す断面右側面図である。
【図４】図４は図３より大きい液晶表示器が取付られたカードユニットの一例を表す断面右側面図である。
【図５】図５は収容口より低い嵌合部材が収容されたカードユニットの一例を表す断面右側面図である。
【図６】図６は嵌合部材がスライド収容されないカードユニットの一例を表す断面右側面図である。
【符号の説明】
【００５１】
１０…パチンコ機
２０…カードユニット
２１…液晶表示器
２２…保持部材
２２ｂ…固着保持部材
２５…マスク部材
２６…取付部
３０…嵌合部材
３３…係合部
４０…収容部
４１…収容口
４４…ガイド部
【図１】
2005087494.tif 000003
【図２】
2005087494.tif 000004
【図３】
2005087494.tif 000005
【図４】
2005087494.tif 000006
【図５】
2005087494.tif 000007
【図６】
2005087494.tif 000008